(57)【要約】本発明はエレベーターの両側天井隅部分に設置される反射器具を一定な幅の規格品で製作して、エレベーター大きさに合うようにつなぎ合せて必要な個数だけ続いて設置することができる組立式照明反射システムに係り、天井隅反射器具１０、照明灯設置板２０及び締括り反射器具３０で構成されて、場合によって一つまたはそれ以上の中間反射器具４０が追加されたりする。
2007511451.tif 000002
【特許請求の範囲】
【請求項１】
エレベーターケージの両側天井隅部分それぞれの通風口下に壁面で約２０ｍｍ程度離隔するように設置されて、エレベーターケージの天井に固定するためのねじなどの締結具が挿入される長いチャネル型締結具装着部１２、締結具装着部１２下に配置されて全体的にアーチ形断面を形成するが表面はアコーディオン状を有して光を反射する反射面１４、前記反射面１４の下端部に形成されて照明灯設置板２０を結合するための照明灯設置板結合部１６、及び他の反射器具を結合するための他端部の結合部１８を含んで、全体長さはエレベーターケージの内部長さより若干短い天井隅反射器具１０；及び
前記天井隅反射器具１０下端部の結合部１６にスナップ結合されて、上部に照明灯１を設置して照明灯の直接照明を遮断するための板型照明灯設置板２０；を含んで、
前記反射器具１０、３０は寸法が規格化されて押出や引抜等で大量生産が可能であり、これら反射器具１０、３０の反射面１４、３４は陽極酸化法などにより表面処理されたことを特徴とするエレベーター天井に設置される組立式照明反射システム。
【請求項２】
第１項において、エレベーターケージの天井に固定するためのねじなどの締結具が挿入される長いチャネル型締結具装着部３２、締結具装着部３２下に配置されて前記反射器具１０と結合した時反射器具の反射面１４と連続されるアコーディオン状を有する反射面３４、前記天井隅反射器具１０の他端部の結合部１８にスナップ結合される結合部３６を有して、長さは天井隅反射器具１０と同じであって一定な幅を有する締括り反射器具３０をさらに含むことを特徴とするエレベーター天井に設置される組立式照明反射システム。
【請求項３】
第２項において、前記反射器具１０の結合部１８に結合される結合部４２、前記反射器具１０、３０と結合した時反射器具の反射面１４、３４と連続されるアコーディオン状を有する反射面４４、前記反射器具３０の結合部３６にスナップ結合される結合部４６を有して、長さは反射器具１０、３０と同じであって一定な幅を有しており、２個の反射器具１０、３０間でこれら反射器具に結合される１個以上の中間反射器具４０をさらに含むことを特徴とするエレベーター天井に設置される組立式照明反射システム。
【請求項４】
第１項ないし第３項中のいずれか一つの項において、前記３種の反射器具１０、３０、４０の結合部における結合が雌雄結合方式で結合することを特徴とするエレベーター天井に設置される組立式照明反射システム。
【請求項５】
第４項において、前記反射器具１０の幅は約２８０ｍｍであって、前記締括り反射器具３０の結合状態における露出部の幅は約５０ｍｍであり、前記中間反射器具４０の結合状態における露出部の幅も約５０ｍｍであることを特徴とするエレベーター天井に設置される組立式照明反射システム。
【請求項６】
エレベーターケージの両側天井隅部分それぞれの通風口下に壁面から若干離隔するように設置されて、固定台８５に締結具を利用して固定するために上部に一定間隔を置いて形成された長い一つ以上の締結板５２、前記締結板５２に懸垂されるアーチ形の反射板５４、前記反射板５４の一端部に垂直に連結した側面板５６を含んで、全体長さはエレベーターケージの内部長さより若干短い天井隅反射器具５０と；
前記側面板５６にボルトやねじなどの締結具で水平連結して反射器具５０下に設置された照明器具の直射光を遮断する照明遮蔽板６０と；
前記照明遮蔽板６０の一端部に垂直に連結して、反射器具５０下の照明器具を遮る長い前方隠し板７０と；
固定台８５に締結具を利用して固定するための締結板８２と、前記締結板下端に水平に形成された一定幅の反射板８４で構成されて、前記反射器具５０に連結されたりまたは相互に連結される一つ以上の追加反射器具８０；及び
前記反射器具４０、８０の締結板５２、８２を締結具を利用して固定するための複数の固定台８５；を含んで、
前記部品５０、６０、７０、８０、８５を結合してモジュール化された状態でエレベーター天井に設置されることを特徴とする組立式照明反射システム。
【請求項７】
第６項において、前記締結板５２、８２を固定台８５に組立てる時リベットとナットの組合チェーンインサートナット９０を利用することを特徴とする照明反射システム。
【請求項８】
第６項または第７項において、前記前方隠し板７０が磁石７４により照明遮蔽板６０に着脱可能に結合されることを特徴とする照明反射システム。
【請求項９】
第６項または第７項において、前記反射器具５０の反射板５４上部に複数の補強板８６を設置することを特徴とする照明反射システム。
【請求項１０】
第６項または第７項において、前記照明遮蔽板６０の底面に装飾シート６６を付着したことを特徴とする照明反射システム。
【請求項１１】
第６項または第７項において、前記追加反射器具８０の結合状態における露出部の幅が約５０ｍｍであることを特徴とする照明反射システム。
【発明の詳細な説明】
【技術分野】
【０００１】
本発明はエレベーター天井に設置される組立式照明反射システムに係り、具体的にはエレベーターの両側天井隅部分にセッチサレル反射器具を一定な幅の規格品で製作して、エレベーターの大きさに合うようにつなぎ合せて必要な数だけ続いて設置することができる組立式照明反射システムに関する。
【背景技術】
【０００２】
一般的に、エレベーターの内部の照明方式は直接照明方式、間接照明方式、これら２種方式を混合した直間接照明方式を採択している。
【０００３】
図１は間接照明方式の一例を示し、エレベーター天井に蛍光灯や白熱灯などの照明器具１を設置して、その下に半透明遮蔽板３を設置した形態である。現在の大部分のエレベーターは隅上部に送風機１０が位置してその下に送風路２０が配置されているため、図示したように照明装置側面に送風が案内されてエレベーター内部に入る。
【０００４】
このような間接照明方式では、遮蔽板３のため照明器具１で発光した光によりユーザーの目が眩しい等の不便さを防止しながらも通風が円滑となる効果はあるが、遮蔽板３上部に塵埃が容易に溜まって周期的に遮蔽板３を分離して清掃する必要があり、また照明器具１を交換しなければならない時も遮蔽板を分離しなければならない不便さがある。また、遮蔽板３をエレベーター天井全体に設置しなければならないためエレベーターの天井高さが低くなり、高さが高い箪笥などの貨物５を運搬できないという問題もある。
【０００５】
図２には他の間接照明方式が図示されている。図２の方式では完全な不透明遮蔽板３上に照明器具１が装着されて、照明器具から出た光はユーザーに直接照射されずに矢印Ｂ、Ｃ方向に天井や壁面で反射されるようになっている。
この方式では、ユーザーにとって目が眩しかったり照明が明るすぎたりする不便や、天井面が低くなる等の問題はないが、照明器具の遮蔽板３が通風口２０を一部遮断することにより通風に問題が発生し、また照明器具の光が完全にエレベーター天井と壁面で反射された反射光だけでエレベーター内部を照明するため必要な照度が低下して照明効果が低くなる問題がある。
【０００６】
図３は直接照明方式の一例を示す図面である。図示したように、エレベーター天井に照明器具１を装着して、照明器具の光を遮断する遮蔽板はない。この方式では照明器具の光が直接ユーザーに伝えられるので、照明が眩しいという問題があって、天井高さが低くなって、主に白熱灯を用いるようになるのでエレベーターの内部温度が上昇する等の問題がある。
【０００７】
一方、エレベーターケージの大きさは設置場所によって変わる問題があって、このようにエレベーターケージの大きさがそれぞれ異なるため、設置するエレベーター大きさに合うように照明装置を製作して手作業でいちいち壁面や天井に締結具で組立てなければならないので、手作業と人件費が多く必要となる問題があった。
【発明の開示】
【０００８】
本発明は従来のこのような問題点を勘案して案出したものであって、照明灯による直接照明を止揚して天井に照明反射板を設置するが、一定な反射角を与えることによって搭乗客の眩しさを防止しながらも反射面の反射率を高めてエレベーター内部の照度が低下するのを防止することはもちろん、遮蔽板が不要であって照明装置に塵埃などが溜まるのを予防することによって内部清潔状態を維持すること、またエレベーターの天井高さを減少させて内部空間活用度を高めることを目的にする。
【０００９】
また、本発明のさらに大きな目的は、照明装置のそれぞれの反射板を一定な規格に規格化して、それぞれの反射板の分解結合を容易にすることによって、大量生産を可能とし、設置作業を画期的に改善することにある。
【発明を実施するための最良の形態】
【００１０】
以下、添付図面を参照して本発明に対して具体的に説明する。
【００１１】
エレベーターケージの大きさは設置場所によってそれぞれ異なるが、すべての人乗用標準エレベーターは門両側の壁面の幅がそれぞれ３００ｍｍ以上であって、通常は３００ｍｍ、３５０ｍｍ、４００ｍｍまたは４５０ｍｍである。本発明はこのような規格を勘案して案出されたものである。一方、本発明の説明において、以下“長さ”とはエレベーター門から後壁方向の長さを、“幅”とは長さに直角方向の長さを意味する。
【００１２】
図４は本発明による照明反射システムの第１実施形態を詳細に見せてくれる分解断面図で、エレベーターケージ両側に対称で形成されるが、説明の便宜上一側だけ図示した。
【００１３】
図示したように、本発明による照明反射システムは大別して天井隅反射器具１０、照明灯設置板２０及び締括り反射器具３０で構成されて、場合によって一つまたはそれ以上の中間反射器具４０が追加されたりする。
【００１４】
天井隅反射器具１０はエレベーターケージの両側天井隅部分それぞれの通風口下に壁面で約２０ｍｍ程度離隔するように設置されることであって、エレベーターケージの天井に固定するためのねじなどの締結具が挿入される長いチャネル型締結具装着部１２、締結具装着部１２下に配置されて全体的にアーチ形断面を形成するが表面はアコーディオン状を有して光を反射する反射面１４、前記反射面１４の下端部に形成されて照明灯設置板２０を結合するための照明灯設置板結合部１６、及び他の反射器具を結合するための他端部の結合部１８を含む。この反射器具１０の全体長さはエレベーターケージの内部に設置されるので、ケージの長さより若干短くて、幅は規格化されているのでこれに対しては後述する。
【００１５】
このような反射器具１０はエレベーター内部の通風のために壁面から２０ｍｍ程度離して天井に設置される。チャネル型締結具装着部１２はレール形態で天井にかけて形成されて、ここにボルトなどの締結具を挿入すればボルト頭が固定され、反射器具が外れるのを防止するとともに長さ方向に自由に移動可能となる。したがって、締結具装着部１２に複数のボルトを挿入した後に適当な位置で天井に結合すれば反射器具１０が固定される。このような装着部１２は一つまたは２個であり、その個数は設置の便宜上選択すればよい。また、反射面１４は全体的な断面が円弧形態で構成されて、光の反射角を形成するために表面は可能な限りアコーディオン状に構成することが望ましい。
【００１６】
照明灯設置板２０は反射面の下端部、すなわち天井隅反射器具１０下端部に形成された結合部１６にスナップ結合されて、その上に照明灯１を設置して照明灯の直接照明を遮断するために用いられ、大体四角板形状である。照明灯設置板２０と反射器具１０の結合方式は図示したように突起と溝が雌雄結合するスナップ結合方式が望ましく、エレベーターの内部照明が暗い場合必要によって設置板２０に光が通過する穴を形成することもできる。
【００１７】
締括り反射器具３０は隅反射器具１０または後述する中間反射器具４０に結合され、長いチャネル型締結具装着部３２、締結具装着部３２下に配置されて前記反射器具１０と結合した時反射器具の反射面１４と連続されるアコーディオン状を有する反射面３４、前記天井隅反射器具１０の他端部の結合部１８にスナップ結合される結合部３６を有して、長さは天井隅反射器具１０と同じであって一定な幅を有する。装着部３２と反射面３４の構成は反射器具１０と同じである。
【００１８】
これら反射器具１０、３０は寸法が規格化されて押出や引抜等で大量生産が可能であり、反射器具１０、３０の反射面１４、３４は陽極酸化法などの表面処理をして、反射効率を高めることが望ましい。
【００１９】
一方、中間反射器具４０はシステム全体の反射面を拡張する時用いられ、２個の反射器具１０、３０間に配置される。中間反射器具４０も同様に反射器具１０の結合部１８に結合される結合部４２、反射器具１０、３０と結合した時反射器具の反射面１４、３４と連続されるアコーディオン状を有する反射面４４、前記反射器具３０の結合部３６にスナップ結合される結合部４６を有して、長さは反射器具１０、３０と同じであって一定な幅を有する。中間反射器具４０の結合部４２、４６は両側の反射器具の結合部と前述したように雌雄結合される構造で構成されることが望ましい。中間反射器具４０はエレベーターの大きさによって１個以上拡張して連続つながるように設置することができる。
【００２０】
これから、反射器具１０、３０、４０の寸法に対して説明する。
【００２１】
図４に示したように、隅用反射器具１０の幅Ｄ１は約２８０ｍｍであることが望ましい。これは、エレベーターの門縁と壁面までの長さがほとんどすべてのエレベーターで３００ｍｍであることを勘案したことであって、通風のためにエレベーター壁面と反射器具１０の端部間に約２０ｍｍの間隔を置いて設置することが望ましいからである。
【００２２】
また、締括り反射器具３０の結合状態における露出部の幅Ｄ２は約５０ｍｍであって、中間反射器具４０の結合状態における露出部の幅Ｄ３も約５０ｍｍであることが望ましい。このようにすべての反射器具の寸法を規格化すれば大量生産および設置が容易となる。
【００２３】
図５は隅反射器具１０に締括り反射器具３０だけ結合した状態の断面図であって、図６は反射器具１０、３０間に中間反射器具４０を一つ挿入した状態の断面図である。このように、エレベーターケージの大きさに合うように、中間反射器具４０を適切な個数挿入すればすべてのサイズのエレベーターケージに合うように照明システムを構成することができる。
【００２４】
図７は本発明による照明反射システムの第２実施形態の分解斜視図であって、図８は組立てられた状態の側断面図である。
【００２５】
図示したように、本実施形態の照明反射システムは大別して天井隅反射器具５０、照明遮蔽板６０、前方隠し板７０、一つ以上の追加反射器具８０及び複数の固定台８５で構成される。
【００２６】
天井隅反射器具５０はエレベーターケージの両側天井隅部分それぞれの通風口下に壁面から若干離隔するように設置され、固定台８５にねじ、ボルト、インサートナット等の締結具を利用して固定するために反射板５０の上部に一定間隔を置いて形成された１つまたは複数の長い締結板５２、前記締結板５２に懸垂されるアーチ形の反射板５４、前記反射板５４の一端部に垂直に連結した側面板５６を含む。この反射器具５０の全体長さはエレベーターケージの内部に設置されるので、ケージの長さより若干短くて、幅はできるだけ規格化されることが望ましい。
【００２７】
このような反射器具５０はエレベーター内部の通風のために壁面から２０ｍｍ程度離隔されて天井に設置される。締結板５２は反射板５４の上面に垂直に形成されて、一つまたは２個が適当な間隔に形成される。締結板５２は反射板５４の長さと同じ長さの薄い金属板やプラスチック板であって、上端部は直角に撓んで締結具を設置する余地を置く。締結板５２；８２の結合に対しては後述する。
【００２８】
照明遮蔽板６０は反射器具５０の側面板５６下端部にボルト、ねじなどの締結具を利用して結合する平たくて薄い四角板形態であって、反射板５４と照明遮蔽板６０間に照明器具が設置される。このような照明遮蔽板６０は照明器具の光が直接エレベーター乗客に照射されることを遮蔽する役割をするが、エレベーターの内部照明が暗い等の場合によっては照明遮蔽板６０に光が通過する穴を形成することもできる。
【００２９】
前方隠し板７０は照明遮蔽板６０の一端部に垂直に連結することであって、内部空間に設置された照明器具が乗客に直接見えることを遮る役割をする。前方隠し板７０は照明器具の交替や修理のためにできるだけ分離されやすく設置されることが望ましい。したがって、前方隠し板７０をねじやボルトなどで照明遮蔽板６０に結合するよりは、磁石７４を利用して結合することが望ましい。すなわち、照明遮蔽板６０の前端部の長さに沿って適当な間隔で磁石７４を設置して、前方隠し板７０の材質がプラスチックなど非磁性体の場合には磁石７４に対応する鉄板などの磁力が通じる物質を適切に配置して着脱可能に前方隠し板７０を照明遮蔽板６０に結合する。このように磁石を利用して結合する場合、作業人は容易に手で前方隠し板を分離して修理や交替をすることができる。
【００３０】
一方、エレベーターケージの大きさによっては反射器具５０にさらに反射器具８０を一つ以上連結しなければならない必要がある。このために、本発明は断面がＬ形である反射器具８０をさらに含む。
【００３１】
追加反射器具８０は固定台８５に締結具を利用して固定するための締結板８２と、前記締結板下端に水平に形成された一定幅の反射板８４で構成される。反射板８４は締結板８２の加担から横方向に伸長される。図面で見るように、追加反射器具８０と基本反射器具５０の結合方式は設置と分解の便宜のために、雌雄結合のスナップ結合方式が望ましい。もちろん、追加反射器具８０どうし連結する時も同じ方式が望ましい。
【００３２】
前述した２種類の反射器具５０、８０はすべて一定間隔を置いて複数配置された固定台８５に組立てられる。図７に示したように、複数の固定台８５に締結具を利用して反射器具５０、８０の締結板５２、８２を結合する。このように結合すれば、前述したすべての部品５０、６０、７０、８０、８５が結合して一つのモジュールを形成し、モジュールをエレベーターの天井に一度に付着すれば作業が完了する。
【００３３】
次に、追加反射器具８０と固定台８５の結合方式に対して図９、１０を参照し説明する。
【００３４】
図４の第１実施形態ではエレベーター天井に付着されたボルト頭にレール型締結具装着部１２を結合して反射器具を設置したが、このようなレール型装着部はその構成が複雑で材料費と人件費、作業の不便など困難な点が多かった。これに、原価低減と作業の便宜性のために、本発明の締結板８２は単純に薄い板を逆Ｌ字形状で構成して、製作が容易で材料費の節減を図った。締結板８２をねじやボルトなどを利用して固定台８５に結合することもできるが、できるだけインサートナット９０を利用することが作業の便宜上望ましい。
【００３５】
図９、１０に示したように、インサートナット９０は当分野において周知のようにリベットとナットを結合した形態であり、締結板と固定台両側にワッシャーを配置した状態で、ナットに結合されたボルトを引き締めることでリベット式に結合することができ、結合作業が非常に便利になる。もちろん、このようなインサートナットを利用した結合は反射器具５２にも適用することができる。このように締結板を固定台に結合した状態で、照明反射システムは一つの組立体で構成される。このように結合した組立体をエレベーター天井に設置しさえすれば良いので、作業性が従来に比べて大幅に向上する。
【００３６】
一方、反射器具５０の反射板５４は薄い金属板やプラスチック板であって、長期間設置される場合撓いだり変形が生じたりすることがある。これを防止するために、反射板５４の上部に複数の補強板８６を設置することが望ましい。このような補強板８６は両端部が締結板５２と反射板５４の端部に連結されて、反射板５４の円形を維持する役割をする。
【００３７】
また、エレベーター内部のインテリアーのために、照明遮蔽板６０の底面に装飾シート６６を付着することができる。
【００３８】
もちろん、前述した反射器具５０と、追加反射器具８０はすべて規格化することが望ましい。すなわち、一定な規格で大量生産が可能にさせることが良い。できるだけ反射器具８０の幅は約５０ｍｍ程度に規格化することが望ましい。このようにする場合、エレベーターの大きさによって、必要なだけ反射器具８０の個数を加減して組立てさえすればエレベーターに合う反射システムの組立体を簡単に構成することができる。
【００３９】
このように構成された本発明による第１及び第２実施形態の照明反射システムによれば、それぞれの反射器具１０、３０、４０；５０、８０を標準化及びモジュール化して押出や引抜などの方式で大量生産することができるので、製作費が画期的に節減されることはもちろん、反射器具１０、３０、４０間の結合もスナップ結合方式で非常に容易であるので設置が簡便である。もちろん、反射面が下向であるため塵埃などの異物質が反射面に溜まることもないので反射効率を維持することができ、掃除も簡便である。
【００４０】
また、エレベーターケージの大きさが変わっても、中間反射器具４０を適切な数で設置すればすべての寸法のエレベーターケージに適切に照明反射板を設置することができる。
【００４１】
また、第２実施形態の照明反射システムの場合、全体が薄い一つの板で構成されることができるため材料費が従来に比べて大幅に節減され、また反射器具の結合も従来に比べて格段に容易である。
【図面の簡単な説明】
【００４２】
【図１】エレベーターの間接照明方式の一例を示す側面図
【図２】他の間接照明方式を示す側面図
【図３】エレベーターの直接照明方式の一例を示す側面図
【図４】本発明の第１実施形態による照明反射システムの分離状態を詳細に示す部分断面図
【図５】本発明の第１実施形態の照明反射システムの結合状態の部分断面図
【図６】本発明の第１実施形態の照明反射システムの他の結合状態の部分断面図
【図７】本発明の第２実施形態の照明反射システムの分解斜視図
【図８】図７の照明反射システムの組立てられた状態の側断面図
【図９】図７、８の反射器具の結合方式を示す一例
【図１０】図７、８の反射器具の結合方式を示す一例
【図１】
2007511451.tif 000003
【図２】
2007511451.tif 000004
【図３】
2007511451.tif 000005
【図４】
2007511451.tif 000006
【図５】
2007511451.tif 000007
【図６】
2007511451.tif 000008
【図７】
2007511451.tif 000009
【図８】
2007511451.tif 000010
【図９】
2007511451.tif 000011
【図１０】
2007511451.tif 000012
【国際調査報告】
2007511451.tif 000013